(57)【要約】【課題】検体の移送をポンプなどの機械力を要することなく簡単な押圧操作で確実に行えて、検体の確実な測定を行うことができ、しかもランニングコストも低廉にできる体液成分の検査器具を提供する。【解決手段】検体が内部に供給される検体供給口１１と、検体の測定が行われる測定室７と、検体供給口１１と測定室７とを連通する流路８と、検体供給口１１に供給された検体から血球を取り除いて流路に供給する血球分離膜６とを備え、貫通孔７１および貫通溝８３が設けられた、不通水性で通気性のある多孔質材からなるプレート３を、二枚の不通水性で不通気性のプレート２，４で厚さ方向に挟み込んで構成された積層板２０に測定室７および流路８が設けられており、この積層板２０に接着された基板１に、検体供給口１１および血球分離膜６が設けられている。【選択図】図１
2014115246.tif 000002
【特許請求の範囲】
【請求項１】
検体が内部に供給される検体供給口と、
前記検体の測定が行われる測定室と、
前記検体供給口と前記測定室とを連通する流路と、
前記検体供給口に供給された前記検体から血球を取り除いて前記流路に供給する血球分離膜とを備え、
貫通孔および貫通溝が設けられた、不通水性で通気性のある多孔質材からなるプレートを、二枚の不通水性で不通気性のプレートで厚さ方向に挟み込んで構成された積層板に、前記測定室および前記流路が設けられており、
前記測定室は、前記貫通孔と前記二枚の不通水性で不通気性のプレートにより区画され、前記流路は、前記貫通溝と前記二枚の不通水性で不通気性のプレートにより区画されており、
前記積層板に接着された基板に、前記検体供給口および前記血球分離膜が設けられている
ことを特徴とする体液成分の検査器具。
【請求項２】
前記多孔質材からなるプレートに、複数の前記貫通孔および複数の前記貫通溝が形成されている
ことを特徴とする請求項１に記載の体液成分の検査器具。
【請求項３】
前記検体供給口の回りに前記検体の流出を防ぐ堰が設けられている
ことを特徴とする請求項１または２に記載の体液成分の検査器具。
【発明の詳細な説明】
【技術分野】
【０００１】
本発明は、生体の体液成分例えばグルコース、中性脂肪、尿酸、コレステロールなどを測定する検査器具に関するものである。
【背景技術】
【０００２】
従来、この種の検査器具として、特許文献１に記載のものが知られている。その内容は、検体供給口とポンプ接続口を備え、これらの間に検体処理室と測定室を流路を介して連通状に設けている。そして、接続口に接続されたポンプの駆動により検体供給口に供給された検体を検体処理室から測定室に移送し、この測定室で検体の測定を行う。
【０００３】
しかし、上記の検査器具は、検体の移送手段としてポンプを用いているので、検体を移送するときの制御が困難となり、また全体構造が複雑となって製品コストが高くなり、しかもランニングコストも高くなる。
【先行技術文献】
【特許文献】
【０００４】
【特許文献１】特開平８−１１４５３９号公報
【発明の概要】
【発明が解決しようとする課題】
【０００５】
そこで、本発明の目的は、検体の移送をポンプなどの機械力を要することなく簡単な押圧操作で確実に行えて、検体の確実な測定を行うことができ、しかもランニングコストも低廉にできる体液成分の検査器具を提供することにある。
【課題を解決するための手段】
【０００６】
上記目的を達成するため、本発明にかかる体液成分の検査器具は、検体が内部に供給される検体供給口と、前記検体の測定が行われる測定室と、前記検体供給口と前記測定室とを連通する流路と、前記検体供給口に供給された前記検体から血球を取り除いて前記流路に供給する血球分離膜とを備え、貫通孔および貫通溝が設けられた、不通水性で通気性のある多孔質材からなるプレートを、二枚の不通水性で不通気性のプレートで厚さ方向に挟み込んで構成された積層板に、前記測定室および前記流路が設けられており、前記測定室は、前記貫通孔と前記二枚の不通水性で不通気性のプレートにより区画され、前記流路は、前記貫通溝と前記二枚の不通水性で不通気性のプレートにより区画されており、前記積層板に接着された基板に、前記検体供給口および前記血球分離膜が設けられている。
【０００７】
この検査器具によれば、検体供給口内に供給された検体を測定室に移送するとき、弾性体からなる栓体で検体供給口を覆い、この栓体を押圧して検体を加圧することにより、ポンプなどの大がかりな機械装置を要することなく簡単な押圧操作で確実に行え、しかもランニングコストも低廉となる。また、検体を測定室に移送するため前記栓体を押圧操作したとき、前記流路や測定室の空間に溜っている空気がプレートを介して外部に逃げるので、検体は空間を満たすように順次移送されて、検体の所定量が測定室に速やかに移送される。また、血球分離膜により、血球を分離させて血漿だけが流路から測定室に移送されて血液検査に供される。
【０００８】
そしてこの検査器具は、プレートが積層されてなる積層板と、検体供給口および血球分離膜が設けられた基板とを別々に製作し、これらを接着して構成することができるため、製造が容易であり、製造コストを低廉とすることができる。
【０００９】
前記測定室や流路には試薬充填部を設けることが好ましい。この試薬充填部には、測定室で検体を測定するために検体と反応させたり、検体の測定時に目的物質との反応を妨害したり測定誤差の要因となる物質を除去するための試薬を充填させる。例えば生体の体液成分である血中グルコースを測定する場合は、ＮＡＤ、２−（４−ヨードフェニル）−３−（２，４ジニトロフェニル）−５−（２，４ジスルフォフェニル）−２Ｈ−テトラゾリウム、ポリビニルピロリドン、リン酸緩衝液、グルコース脱水酵素、ジアホラーゼを含んだ試薬を測定室または流路に滴下して乾燥させておく。一方、尿素窒素やクレアチニンを測定するときには、アスコルビン酸酸化酵素、アルギン酸ナトリウム、オルトフェニレンジアミン、リン酸緩衝液、尿酸酸化酵素、ペルオキシターゼを含んだ試薬を測定室または流路に滴下して乾燥させておく。
【００１０】
前記多孔質材からなるプレートには、複数の測定室に至る複数の流路を設けることもできる。この構成によれば、同一検体の複数種類の測定が可能となる。特に、複数の流路と測定室を設ける場合、従来のポンプ駆動による移送手段ではそれぞれの流路を介して複数の測定室に所定量の検体を移送するのが困難であるのに対し、この発明では、前記栓体の押圧操作により前記流路や測定室の空間に溜っている空気がプレートを介して外部に逃げるので、検体は空間を満たすように前記各流路を経て各測定室に所定量が速やかに移送される。また、前記各流路の途中一部を試薬充填部として、これに試薬をそれぞれ各別に充填させるようにすれば、一緒に配置すると安定性に影響があるような試薬を配置するときに好都合となる。
【００１１】
前記検体供給口の回りには、検体の流出を防ぐ堰を設けることが好ましい。このようにすれば、前記検体供給口から内部に検体を流出させたりすることなく確実に供給させられる。
【発明の効果】
【００１２】
以上のように、本発明によれば、検体の移送をポンプなどの大がかりな機械装置を要することなく簡単な押圧操作で確実に行えて、検体の確実な測定を行うことができ、しかもランニングコストも低廉となる。また、積層板と基板とを別々に製作し、これらを接着して構成することができるため、製造が容易であり、製造コストを低廉とすることができる。
【図面の簡単な説明】
【００１３】
【図１】本発明にかかる検査器具の一実施形態を示す縦断面図である。
【図２】本発明にかかる検査器具の一実施形態を示す分解斜視図である。
【図３】本発明にかかる検査器具を用いて血液検体の測定を行うときの手順を示す縦断面図であり、（ａ）は、検体供給口に検体を滴下し、栓体で検体供給口を覆った状態を示し、（ｂ）は、栓体を押圧して検体を測定室に移送した状態を示す。
【図４】血液検体の測定結果を示すグラフである。
【発明を実施するための形態】
【００１４】
以下、本発明にかかる検査器具の一実施形態として血液検査器具を図面に基づいて説明する。
図１は血液検査器具の縦断面図を、図２はその分解斜視図を示している。これら各図に示す検査器具１００は、基板１と積層板２０とが接着されて構成されている。基板１には円形の検体供給口１１が形成され、その上部周囲には堰１２が設けられている。そして堰１２には、上面からさらに突出する環状突起１２ａが設けられている。また、堰１２に内側には、円弧状に突出した突起部１３が設けられている。この堰１２は、ブチルゴムなどの弾性材料からなる栓体５が密着して、内部空間を密封するよう構成されている。具体的には、この堰１２に対して栓体５が当接すると、堰１２の環状突起１２ａが、栓体５の縁部５ａに食い込むため、内部空間が確実に密閉される。その状態で栓体５を押圧すると検体供給口１１に供給された検体（血液）に加圧力を付与される。栓体５は、図示していない押圧機構により押圧される。
【００１５】
また、基板１の下面側には、検体供給口１１との対向部位に円形状の凹入部１４が設けられており、ここに血球を分離除去する非対称孔径膜からなる血球分離膜６が装入されている。この血球分離膜６は、基板１に接着剤（図示省略）により固定されている。
【００１６】
また、基板１の下面側には、二次元バーコード１５が設けられている。二次元バーコード１５を読み取ることにより、検体を識別することが可能に構成されている。なお、この二次元バーコード１５は、検査器具１００において、任意の位置に設けることが可能である。なお、基板１の材料は、加工が容易な樹脂材料が使用され、例えばＡＳ樹脂（スチレン・アクリロニトリル樹脂）が好適に用いられる。
【００１７】
また、基板１の上面には、突起１６，１７が設けられている。この突起１６，１７は、光学測定または電気測定の際に、検査器具１００を位置決めするために用いられる。
【００１８】
積層板２０は、接着剤（図示省略）を介して上下方向に積層一体化された３つの第１プレート２、第２プレート３および第３プレート４を備える。積層板２０において検体供給口１１の側方内部には、検体Ａの成分を測定する測定室７が形成され、この測定室７と検体供給口１１の間に検体Ａの移送用の流路８が形成されている。
【００１９】
図１，２に示すように、流路８は以下のように形成されている。すわなち、第１プレート２における検体供給口１１と同心位置に、上下方向に延びる貫通孔８１を形成するとともに、第１プレート２の下方に配置される第２プレート３に、貫通孔８１と対向状に円形の貫通孔８２を設け、これから側方に向かって直線状の貫通溝８３をくり抜いて、これら貫通孔８１と貫通孔８２および貫通溝８３により流路８を形成している。また、測定室７は以下のように形成されている。すなわち、第２プレート３に設けた貫通溝８３の先端側に、円形の貫通孔７１を貫通溝８３と連通状に形成し、貫通孔７１の内部を検体Ａの測定室７としている。
【００２０】
なお、図１，２に示す検査器具１００は、８つの測定室７を有している。具体的には、この第２プレート３に、測定室７を形成する円形の８つの貫通孔７１が形成されている。また、第１プレート２に設けた貫通孔８１と対向する貫通孔８２が設けられており、この貫通孔８２から延びる一本の貫通溝８３ａが、分岐部８３ｂで８本の貫通溝８３ｃに分岐し、これら貫通溝８３ｃの先端側に貫通孔７１が形成されている。８つの測定室７は、貫通孔７１と第１プレート２および第３プレート４により区画される。また、流路８は、貫通溝８３と第１プレート２および第３プレート４により区画される。なお流路８には貫通孔８１も含まれている。
【００２１】
第１プレート２および第３プレート４は、不通水性で不通気性のプレートであり、その材料としては、加工が容易な樹脂材料が使用され、例えばＡＳ樹脂（スチレン・アクリロニトリル樹脂）が好適に用いられる。
【００２２】
一方、第２プレート３としては、不通水性で通気性のある多孔質材である例えばＰＴＦＥ（四フッ化エチレン樹脂）フィルムが好適に用いられる。このようにすれば、栓体５を押圧操作して検体Ａを流路８から測定室７に移送させるとき、これら流路８や測定室７の空間に溜っている空気が第２プレート３を介して外部に逃げ、検体Ａが空間を満たすように順次移送されて、検体Ａの所定量が測定室７に速やかに移送される。
【００２３】
測定室７には試薬充填部９が設けられている。この試薬充填部９には、測定室７で検体Ａを測定するために検体Ａと反応させたり、検体Ａの測定時に目的物質との反応を妨害したり測定誤差の要因となる物質を除去するための試薬を充填する。この試薬としては、例えば生体の体液成分である血中グルコースを測定する場合は、ＮＡＤ、２−（４−ヨードフェニル）−３−（２，４ジニトロフェニル）−５−（２，４ジスルフォフェニル）−２Ｈ−テトラゾリウム、ポリビニルピロリドン、リン酸緩衝液、グルコース脱水酵素、ジアホラーゼを含んだものを用い、この試薬を測定室７に滴下して乾燥させておく。一方、尿素窒素やクレアチニンを測定するときは、アスコルビン酸酸化酵素、アルギン酸ナトリウム、オルトフェニレンジアミン、リン酸緩衝液、尿酸酸化酵素、ペルオキシターゼを含んだものを用い、この試薬を測定室７に滴下して乾燥させておく。なお、試薬充填部９は流路８の途中の一部に設けてもよい。
【００２４】
測定室７で検体Ａを測定するにあたっては、透過光や反射光を用いた光学測定や電気測定が採用される。透過光を用いる光学測定の場合は、第１プレート２および第３プレート４における、測定室７と隣接する箇所について、透明部Ｔを設けるとともに、プレート同士を接着する接着剤層（図示省略）が、測定室７に隣接する箇所において、光の透過を妨げないようにして、測定室７で試薬と検体Ａにより呈色反応を行わせて、第３プレート４の下方から光を照射し、第１プレート２の上部で透過光を受光することにより、測定室７での吸光度を測定する。なお、第１プレート２および第３プレート４について透明部Ｔを設ける方法として、第１プレート２および第３プレート４を透明な樹脂で構成し、透明部Ｔ以外の箇所を黒色に着色することが好適である。
【００２５】
透明部Ｔ以外の箇所を黒色に着色するには、第１プレート２および第３プレート４の内側の面（すなわち第２プレート３側の面）に、印刷を施すことにより黒色の部分を形成することが好適である。このようにすると、透明部Ｔ以外は印刷層が覆う一方で透明部Ｔには印刷層が存在しないため、透明部Ｔに窪みが形成される。この窪みに液体試薬を塗布し、乾燥させれば、容易に試薬を測定室に配置することができる。
【００２６】
上記のように、多孔質材からなる第２プレート３に複数の流路８と測定室７を形成すれば、ひとつの検体Ａから複数種類の測定が可能となる。特に、複数の測定室７と流路８を設ける場合、従来のポンプ駆動による移送手段では各流路８を介して複数の測定室７に所定量の検体Ａを移送するのが困難であるのに対し、栓体５の押圧操作により流路８や測定室７の空間に溜っている空気が第２プレート３を介して外部に逃げるので、検体Ａは空間を満たすように各流路８を経て各測定室７に所定量が速やかに移送される。また、各測定室７や流路８の途中の一部を試薬充填部として、これらに試薬をそれぞれ各別に充填させるようにすれば、一緒に配置すると安定性に影響を与えるような試薬を配置するときに好都合となる。
【００２７】
なお、測定室７で検体Ａを測定するにあたっては、電気測定を行うことも可能である。すなわち、測定室７に一対の電極を配置し、これらに通電することによって検体Ａの電導度などを測定する。
【００２８】
また、積層板２０には、その一辺に二つの切欠２１，２２が設けられている。この切欠２１，２２は、各プレートの一辺の同じ位置に設けられた、切欠２ａ，３ａ，４ａおよび切欠２ｂ，３ｂ，４ｂが、それぞれ重ね合わされて構成される。この切欠２１，２２は、光学測定または電気測定の際に、検査器具１００を位置決めするために用いられる。
【００２９】
次に、上記の検査器具１００を用いて血液検査を行うときの手順を図３に基づいて説明する。
先ず、基板１に設けた検体供給口１１から血球分離膜６上に検体Ａを供給する（図３（ａ）参照）。このとき、検体供給口１１の回りには堰１２が設けられているので、検体Ａの流出を招くことなく、これを検体供給口１１の内部に確実に供給させられる。また、堰１２に内側には円弧状に突出した突起部１３が設けられているので、指先の皮膚の表面を穿刺し、穿刺部から出る血液を突起部１３ですくい取ることにより、検体供給口１１に向けて血液を誘導することができる。この後、同図のように検体供給口１１に栓体５を被嵌させてから、この栓体５を押圧機構で押圧することにより、血球分離膜６上に供給された検体Ａに加圧力が付与されて、検体Ａは血球分離膜６を通過し、このとき血球が分離されて血漿だけが流路８を通って測定室７に移送される（図３（ｂ）参照。なお、積層板２０の内部に移送された検体Ａは図示していない）。以上のように、栓体５を押圧して検体供給口１１内に供給された検体Ａを流路８から測定室７へと移送することにより、ポンプなどの機械力を要することなく簡単な操作で検体Ａの移送が確実に行え、しかもランニングコストも低廉となる。
【００３０】
また、図１，２のように、流路８の一部を形成する第２プレート３を不通水性で通気性のある多孔質材（例えばＰＴＦＥ）で形成することにより、検体Ａを測定室７に移送するため栓体５を押圧操作したとき、流路８や測定室７の空間に溜っている空気が第２プレート３を介して外部に逃げるので、検体Ａは空間を満たすように順次移送されて、検体Ａの所定量が測定室７に速やかに移送される。特に図１，２に示すように、多孔質材からなる第２プレート３に複数の流路８と測定室７の一部を形成する場合、従来のポンプ駆動による移送手段では各流路８を介して複数の測定室７に所定量の検体Ａを移送するのは困難であるのに対し、栓体５の押圧操作により流路８や測定室７の空間に溜っている空気が第２プレート３を介して外部に逃げることによって、各流路８から各測定室７への検体Ａの速やかに移送が行える。
【００３１】
そして、測定室７に送られた検体Ａは、測定室７の吸光度を測定することにより、検体Ａの測定が行われる。あるいは、測定室７に一対の電極が設けられている場合には、電極により検体Ａの電気測定が行われる。
【００３２】
次に、具体的な実施例を挙げて説明する。同実施例では、血液中のグルコースを測定する場合を説明する。
基板１、第１プレート２と第３プレート４としてＡＳ樹脂（スチレン・アクリロニトリル樹脂）製のものを用い、第２プレート３としては厚み７５μｍで孔径１μｍのＰＴＦＥフィルムを用いた。また、栓体５としてブチルゴム製のものを用い、血球分離膜６としては非対称孔径膜を用いた。
【００３３】
また、試薬充填部９とした測定室７に、ＮＡＤ３．６ｗｔ％、ＷＳＴ−３［２−（４−ヨードフェニル）−３−（２，４ジニトロフェニル）−５−（２，４ジスルフォフェニル）−２Ｈ−テトラゾリウム；同仁化学社製］の５．２ｗｔ％、ポリビニルピロリドン０．１ｗｔ％、ｐＨ７．５の５０ｍＭリン酸緩衝液、グルコース脱水酵素２ＫＵ／ｍｌ、ジアホラーゼ１ＫＵ／ｍｌを含んだ試薬の１０μｌを滴下して乾燥させた。
【００３４】
そして、検体供給口１１から内部に、グルコース濃度がそれぞれ７０ｍｇ／ｄｌ、１５０ｍｇ／ｄｌ、３００ｍｇ／ｄｌである血液の検体Ａを滴下し、この後検体供給口１１に栓体５を被嵌させて、これを押圧操作して検体Ａを流路８から測定室７に移送させた。
【００３５】
検体Ａの測定は、４３０ｎｍの透過光を用いて、その吸光度を測定した。この結果、図４のグラフに示す通りである。同グラフから明らかなように、いずれの検体Ａでも確実な測定を行える。
【符号の説明】
【００３６】
１００  検査器具
１１    検体供給口
１２    堰
１      基板
２０    積層板
２      第１プレート
３      第２プレート（多孔質材からなるプレート）
４      第３プレート
６      血球分離膜
７      測定室
７１    貫通孔
８      流路
８２    貫通孔
８３    貫通溝
Ａ      検体
【図１】
2014115246.tif 000003
【図２】
2014115246.tif 000004
【図３】
2014115246.tif 000005
【図４】
2014115246.tif 000006